(57)【要約】【課題】運転モード（動作モード）及び予約モードの設定状態を同時に確認できる機器操作用の表示機能付リモコンを提供すること。【解決手段】リモコン２６には、機器操作用のリモコン本体２７に機器である空調装置２５を動作させるスイッチ３０〜３４及び空調装置２５の動作予約をさせる「予約時刻」スイッチ３５が設けられている。また、スイッチ３０〜３４による空調装置２５の動作状態、前記予約スイッチによる予約動作モードを表示させる液晶表示器２８がリモコン本体２７に設けられている。しかも、動作状態及び前記予約動作モードを液晶表示器２８に同時に表示させる演算制御回路４０が設けられている。【選択図】　図２
2004028399.tif 000002
【特許請求の範囲】
【請求項１】
機器操作用のリモコン本体に機器を動作させる動作スイッチ及び前記機器の動作予約をさせる予約スイッチが設けられていると共に、前記動作スイッチによる前記機器の動作状態、前記予約スイッチによる予約動作モードを表示させる表示部が前記リモコン本体に設けられた機器操作用の表示機能付リモコンであって、前記動作状態及び前記予約動作モードを前記表示部に同時に表示させる制御手段が設けられていることを特徴とする機器操作用の表示機能付リモコン。
【請求項２】
機器操作用のリモコン本体に機器を動作させる動作スイッチ及び前記機器の動作予約をさせる予約スイッチが設けられていると共に、前記動作スイッチと前記予約スイッチの操作信号を受けて前記機器を動作制御する制御手段が設けられた機器操作用の表示機能付リモコンであって、
前記制御手段は、前記予約スイッチによる予約モードの状態において前記動作スイッチが操作されたときに、前記動作スイッチが操作されてから前記予約動作モードでの前記機器の動作開始時間までの間の時間内で前記動作スイッチによる前記機器の動作制御を行った後、前記予約動作モードでの前記機器の動作開始時間になったときに、前記予約動作モードでの前記機器の動作制御を開始するように設定されていることを特徴とする機器操作用の表示機能付リモコン。
【発明の詳細な説明】
【０００１】
【発明の属する技術分野】
この発明は、例えば空調装置や乾燥装置等の機器の制御に用いる機器操作用の表示機能付リモコンに関するものである。
【０００２】
【従来の技術】
建物内に設置される空調システムとしては、例えば、図１３に示したような空調装置（機器）１を図示しない建物内に設置すると共に、空調装置１のリモコン２（図１２参照）を建物内の操作しやすい場所に設置して、空調装置（機器）１をリモコン２で遠隔操作する様にすることが考えられる。
【０００３】
このリモコン２には、空調装置１を運転（動作）させる運転手段（動作手段）３と、空調装置１の運転（動作）予約手段４と、この運転手段３及び予約手段４を制御する演算制御回路（制御手段）５が設けられている。
【０００４】
この運転手段３は、乾燥運転（乾燥動作）のための乾燥スイッチ（乾燥動作ボタン）６、涼風運転（涼風動作）のための涼風スイッチ（涼風動作ボタン）７、暖房運転（暖房動作）のための暖房スイッチ（暖房動作ボタン）８、換気運転（換気動作）のための換気スイッチ（換気動作ボタン）９を有する。また、この運転手段３は、乾燥スイッチ６，涼風スイッチ７，暖房スイッチ８及び換気スイッチ９が押され（操作され）たときにそれぞれ点灯させられる乾燥表示ＬＥＤ６ａ、涼風表示ＬＥＤ７ａ、暖房表示ＬＥＤ８ａ、換気表示ＬＥＤ９ａを有する。
【０００５】
また、予約手段４は、タイマ切替スイッチ（タイマ切替ボタン）１０と、タイマ切替スイッチ１０により切替点灯させられる入りタイマ表示ＬＥＤ１１及び切りタイマ表示ＬＥＤ１２を有する。また、予約手段４は、運転開始時間（動作開始時間）及び運転切り時間（動作切り時間）を表示させる液晶表示器１３と、液晶表示器１３に運転開始時間及び運転切り時間を設定するための分設定スイッチ（分設定ボタン）１４及び時設定スイッチ（時設定ボタン）１５を有する。１６は予約停止スイッチ（予約停止ボタン）としてのリセットスイッチ（リセットボタン）である。
【０００６】
そして、各スイッチ６〜１０，１４，１５からの操作信号は演算制御回路５に入力される様になっている。また、演算制御回路５は、各スイッチ６〜１０，１４，１５からの操作信号に基づいて空調装置１，液晶表示器１３及び各ＬＥＤ６ａ〜９ａ，１１，１２を作動制御する様になっている。
【０００７】
次に、この演算制御回路５による制御の一例を説明する。
（ｉ）切りタイマモード（動作モード時）
この様な構成においては、タイマ切替スイッチ１０を操作して演算制御回路５により入りタイマ表示ＬＥＤ１１を消灯させると共に切りタイマ表示ＬＥＤ１２を点灯させると、演算制御回路５は運転手段（動作手段）３による動作モード（運転切りモード）となる。
【０００８】
この動作モードにおいて分設定スイッチ（分設定ボタン）１４及び時設定スイッチ（時設定ボタン）１５を操作すると、液晶表示器１３に表示される切り時間を設定できる。即ち、この動作モードにおいて演算制御回路５は、分設定スイッチ（分設定ボタン）１４からの操作信号（ＯＮ信号）が入力される毎に、液晶表示器１３の分を表示する部分の表示を例えば１０分単位で繰り上げ表示する。また、演算制御回路５は、時設定スイッチ（時設定ボタン）１５からの操作信号（ＯＮ信号）が入力される毎に、液晶表示器１３の「時」を表示する部分の表示を例えば１時間単位で繰り上げ表示する。この様にして液晶表示器１３に表示された時間は、空調装置１の切り時間（停止時間）となる。
【０００９】
そして、演算制御回路５は、この動作モードにおいて乾燥スイッチ（乾燥動作ボタン）６，涼風スイッチ（涼風動作ボタン）７，暖房スイッチ（暖房動作ボタン）８，換気スイッチ（換気動作ボタン）９のいずれかのＯＮ操作が行われると、この操作が行われたスイッチに対応するモードで空調装置１の作動制御（運転制御）を開始し、図１４のステップＳ１で液晶表示器１３に表示された切り時間になったか否かを判断する。この判断において演算制御回路５は、切り時間になったと判断すると空調装置１の動作を停止させ、切り時間になっていない場合にはステップＳ２に移行する。
【００１０】
このステップＳ２において演算制御回路５は、タイマ切替スイッチ１０が押されて、入りタイマ表示ＬＥＤ１１が点灯させられると共に切りタイマ表示ＬＥＤ１２が点灯させられて、予約モードになったか否かを判断する。そして、演算制御回路５は、予約モードになったと判断したとき、空調装置１の動作を停止させて、待機状態とする。また、演算制御回路５は、予約モードになっておらず動作モードであると判断したとき、ステップＳ１に戻ってループする。
（ｉｉ）入りタイマモード（運転予約モード）
また、演算制御回路５は、タイマ切替スイッチ１０を操作して、演算制御回路５により入りタイマ表示ＬＥＤ１１を点灯させると共に切りタイマ表示ＬＥＤ１２を消灯させると、運転手段（動作手段）３による運転の予約モード（動作予約モード）となる。
【００１１】
この予約モードにおいて分設定スイッチ（分設定ボタン）１４及び時設定スイッチ（時設定ボタン）１５を操作すると、液晶表示器１３に表示される運転開始時間を設定できる。即ち、この動作モードにおいて演算制御回路５は、分設定スイッチ（分設定ボタン）１４からの操作信号（ＯＮ信号）が入力される毎に、液晶表示器１３の分を表示する部分の表示を例えば１０分単位で繰り上げ表示する。また、演算制御回路５は、時設定スイッチ（時設定ボタン）１５からの操作信号（ＯＮ信号）が入力される毎に、液晶表示器１３の「時」を表示する部分の表示を例えば１時間単位で繰り上げ表示する。この様にして液晶表示器１３に表示された時間は、空調装置１の運転開始時間（動作開始時間）となる。
【００１２】
そして、演算制御回路５は、この予約モードのとき、乾燥スイッチ（乾燥動作ボタン）６，涼風スイッチ（涼風動作ボタン）７，暖房スイッチ（暖房動作ボタン）８，換気スイッチ（換気動作ボタン）９のいずれかのＯＮ操作が行われると、このスイッチ６〜９のうちのＯＮ操作が行われた動作モードでの予約動作を開始し、図１５のステップＳ３で液晶表示器１３に表示された入り時間になったか否かを判断する。
【００１３】
また、演算制御回路５は、ステップＳ３において入り時間になったと判断すると空調装置１の運転（動作）を開始し、ステップＳ１に移行する。尚、ステップＳ１，２の制御は上述と同じである。
【００１４】
また、演算制御回路５は、ステップＳ３において入り時間になっていないと判断すると、ステップＳ４に移行する。
【００１５】
この演算制御回路５は、ステップＳ４においてタイマ切替スイッチ１０が押されて切りタイマ表示ＬＥＤ１２が点灯させられたか否かを判断する。この判断において演算制御回路５は、タイマ切替スイッチ１０が押されていれば空調装置１の運転開始時間の予約を解除する。また、演算制御回路５は、タイマ切替スイッチ１０が押されていなければ、ステップＳ３に戻ってループする。
（ｉｉｉ）タイマ入りモード（予約モード）からスイッチ６〜９の操作による運転開始
また、上述したタイマ入りモード（予約モード）において、このモードを解除して空調装置１を運転したい場合には、タイマ切替スイッチ１０を押してタイマ入り表示ＬＥＤ１１を消灯させると共に、タイマ切り表示ＬＥＤ１２を点灯させて、切りタイマモードにするか、リセットスイッチ１６を押して、空調装置１の予約状態を解除した後、切りタイマモードにする。
【００１６】
この切りタイマモードにおいては、乾燥スイッチ（乾燥動作ボタン）６，涼風スイッチ（涼風動作ボタン）７，暖房スイッチ（暖房動作ボタン）８，換気スイッチ（換気動作ボタン）９のいずれかのＯＮ操作が行われると、この操作が行われたスイッチに対応するモードで空調装置１の作動制御を開始し、図１４のステップＳ１，Ｓ２の制御を行う。
【００１７】
【発明が解決しようとする課題】
ところで、上述したリモコン２の液晶表示器１３は、空調装置１の運転開始時間である入りタイマの時間又は空調装置１の運転停止時間である切りタイマの時間の両方を表示できるのが、設定時間の確認のために望ましい。
【００１８】
しかしながら、上述したリモコン２では、入りタイマの時間又は切りタイマの時間のいずれか一方しか表示できないため、予約をした上で別の（又は同一の）動作を行っていると、予約動作モードか運転動作状態のいずれか一方のみの表示となり、例えば運転時には何の動作が予約されているかの確認ができないという問題がある。
【００１９】
また、上述した空調装置１が浴室乾燥機である場合も、入りタイマ（予約）と切りタイマを有している。しかし、この入りタイマ（予約）と切りタイマの２つは、いずれか一方が動作しているとき他方は停止している。この結果、入りタイマの予約モードのときに、スイッチ６〜９のいずれかのモードの運転（動作）をさせようとすると、上述の（ｉｉｉ）で説明したように、タイマ切替スイッチ１０を操作して一度入りタイマを停止させて、切りタイマの切りタイマ表示ＬＥＤ１２を点灯させた後、各スイッチ６〜９の内の所望のスイッチをオン操作して、空調装置１の運転（動作）を開始させる必要があった。
【００２０】
そして、予約モードとするには、再度タイマ切替スイッチ１０を操作して、入りタイマの入りタイマ表示ＬＥＤ１１を点灯させ、入りタイマ時間（予約による運転開始時間）を設定する必要があった。
【００２１】
このとき、設定してあった入りタイマ時間を記憶するメモリ（記憶手段又は記録手段）がない場合、予約時間を間違うことが予想され、好ましくない。
【００２２】
そこで、この発明の第１の目的は、運転モード（動作モード）及び予約モードの設定状態を同時に確認できる機器操作用の表示機能付リモコンを提供することにある。
【００２３】
また、この発明の第２の目的は、予約モードのときに予約状態を停止させずに、予約モード以外の運転制御を実行できる機器操作用の表示機能付リモコンを提供することにある。
【００２４】
【課題を解決するための手段】
上述の第１の目的を達成するため、請求項１の発明は、機器操作用のリモコン本体に前記機器を動作させる動作スイッチ及び前記機器の動作予約をさせる予約スイッチが設けられていると共に、前記動作スイッチによる前記機器の動作状態、前記予約スイッチによる予約動作モードを表示させる表示部が前記リモコン本体に設けられた機器操作用の表示機能付リモコンであって、前記動作状態及び前記予約動作モードを前記表示部に同時に表示させる制御手段が設けられている機器操作用の表示機能付リモコンとしたことを特徴とする。
【００２５】
また、上述の第２の目的を達成するため、請求項２の発明は、機器操作用のリモコン本体に前記機器を動作させる動作スイッチ及び前記機器の動作予約をさせる予約スイッチが設けられていると共に、前記動作スイッチと前記予約スイッチの操作信号を受けて前記機器を動作制御する制御手段が設けられた機器操作用の表示機能付リモコンであって、前記制御手段は、前記予約スイッチによる予約モードの状態において前記動作スイッチが操作されたときに、前記動作スイッチが操作されてから前記予約動作モードでの前記機器の動作開始時間までの間の時間内で前記動作スイッチによる前記機器の動作制御を行った後、前記予約動作モードでの前記機器の動作開始時間になったときに、前記予約動作モードでの前記機器の動作制御を開始するように設定されている機器操作用の表示機能付リモコンとしたことを特徴とする。
【００２６】
【発明の実施の形態】
以下、この発明の実施の形態を図１〜図９に基づいて説明する。
［構成］
図１において、２０は住宅等の建物、２１は建物２０の浴室、２２は浴室２１の隣の脱衣室、２３は浴室２１と脱衣室２２との仕切壁、２４は浴室２１の天井である。
【００２７】
また、２５は浴室２１内に配設した空調装置、２６は脱衣室２２内に配設されたリモコンである。この空調装置２５は天井２４に近接して仕切壁２３に取り付けられ、リモコン２６は平均的な身長の人の目線の高さ又はそれより低い位置で仕切壁２３に取り付けられている。この空調装置２５には換気ファン（図示せず）及び循環ファン（図示せず）、ヒータ（加熱手段）が一体ユニット若しくは別体のユニットとして配設されている。
【００２８】
尚、空調装置２５の設置位置は天井２４でも良いし、リモコン２６は浴室２１内において仕切壁２３や他の壁部に取り付けても良い。また、リモコン２６は、有線で空調装置２５に接続されていても良いし、無線で操作状態を空調装置２５に送信するようにしても良い。また、リモコン２６は浴室２１や脱衣室２２以外の部屋に設置しても良い。
【００２９】
このリモコン２６は、図２に示したようにリモコン本体２７を有する。このリモコン本体２７には、表示部（表示手段）としての液晶表示器２８及び操作パネル部２９が設けられている。
＜液晶表示器２８＞
この液晶表示器２８は、左側の上部に上下に配置された第１，第２の動作液晶表示部（動作モード表示部すなわち運転モード表示部）２８ａ，２８ｂと、この第１，第２の動作液晶表示部２８ａ，２８ｂの右側に隣接配置された予約状態液晶表示部（予約状態表示部）２８ｃと、これら液晶表示部２８ａ〜２８ｃの下部に隣接配置された時間液晶表示部（時刻表示部）２８ｄを有する。
【００３０】
そして、第１の動作液晶表示部２８ａの左側には上下に「暖房」，「涼風」等の運転モード（動作モード）が表示され、第１の動作液晶表示部２８ａの右側には上下に「予備」，「入浴」，「温風」，「遠赤」等の運転モード（動作モード）が表示されるようになっている。
【００３１】
また、第２の動作液晶表示部２８ｂの左側には上下に「乾燥」，「換気」等の運転モード（動作モード）が表示され、第２の動作液晶表示部２８ｂの右側には上下に「急速」，「標準」，「２４時間」等の運転モード（動作モード）が表示されるようになっている。
【００３２】
更に、予約状態液晶表示部２８ｃの上部には予約のためのマークＭが表示され、マークＭの下方には「予約あり」が表示され、「予約あり」の下方には「暖房」，「涼風」，「乾燥」，「換気」等が表示されるようになっている。
【００３３】
また、時間液晶表示部２８ｄの左上部には「ＡＭ」，「ＰＭ」等が表示され、時間液晶表示部２８ｄの中央部には「時」：「分」が表示され、時間液晶表示部２８ｄの右側には「予約時刻」，「現在時刻」，「残時間」等の表示がされるようになっている。
＜操作パネル部２９＞
この操作パネル部２９には、「予備暖房」スイッチ３０，「入浴暖房」スイッチ３１，「涼風」スイッチ３２，「乾燥」スイッチ３３，「換気」スイッチ３４等が動作スイッチ（動作ボタン）として設けられている。
【００３４】
また、操作パネル部２９には、「予約時刻」スイッチ３５，「停止」スイッチ３６，時刻設定用の「時計」スイッチ３７，時刻設定時のアップスイッチ３８，時刻設定時のダウンスイッチ３９を有する。
【００３５】
＜制御回路＞
上述したリモコン２６は図３に示した演算制御回路４０を有する。そして、この演算制御回路４０には、操作パネル部２９の各スイッチ３０〜３９のＯＮ操作が入力される様になっている。しかも、演算制御回路４０は、各スイッチ３０〜３９の操作に基づいて液晶表示器２８の表示を切り替えたり、空調装置２５の動作制御を行うようになっている。４１は演算制御回路４０に接続されたメモリ（記憶手段）、４２は演算制御回路４０に接続された残時間タイマ、４３は演算制御回路４０に接続された入りタイマである。
＜演算制御回路４０による制御条件及び設定等＞
次に、演算制御回路４０による制御条件及び設定等について説明する。尚、演算制御回路４０について明記していない部分の設定や制御も、演算制御回路４０により行われる。
（１）運転開始
（ｉ）動作スイッチによる空調装置２５の動作制御
この「予備暖房」スイッチ３０，「入浴暖房」スイッチ３１，「涼風」スイッチ３２，「乾燥」スイッチ３３，「換気」スイッチ３４等動作スイッチ（動作ボタン）のいずれかを押すと、押されたスイッチからのＯＮ信号が演算制御回路４０に入力され、演算制御回路４０は押されたスイッチに該当する運転モードで空調装置２５の動作制御を開始する。
【００３６】
即ち、演算制御回路４０は、「予備暖房」スイッチ３０が押されると、「予備暖房」の運転モードで空調装置２５の動作制御を開始し、「入浴暖房」スイッチ３１が押されると、「入浴暖房」の運転モードで空調装置２５の動作制御を開始し、「涼風」スイッチ３２が押されると、「涼風」の運転モードで空調装置２５の動作制御を開始する。また、演算制御回路４０は、「乾燥」スイッチ３３が押されると、「乾燥」の運転モードで空調装置２５の動作制御を開始し、「換気」スイッチ３４が押されると、「換気」の運転モードで空調装置の動作制御を開始する。
【００３７】
この様な動作制御に際して演算制御回路４０は、時間表示部の右側に「残時間」の表示を行うと共に、「時」：「分」の表示部に残時間を表示させる。この残時間は、運転モードに応じた初期値が設定されており、この初期値はアップボタン３８とダウンボタン３９により増減変更されるようになっている。この増減については後述する。
【００３８】
また、待機時や、予約設定された運転モードでの予約時刻があるなしに関わらず、上述のスイッチ３０〜３４が押されると、演算制御回路４０は上述した運転モードでの空調装置２５の動作制御を開始する。
（ｉｉ）予約による空調装置２５の動作制御
また、演算制御回路４０は、設定された予約時刻になった場合、待機時間や上述した運転モードによる空調装置２５の運転時（動作制御時）に関わらず、予約された運転モードで空調装置２５の動作制御を開始する。
（ｉｉｉ）各運転モードの運転状態
空調装置２５の運転モード（動作モード）には、換気モード（換気運転モード）、予備暖房モード（予備暖房運転モード）、入浴暖房モード（入浴暖房運転モード）、涼風モード（涼風運転モード）、乾燥モード（乾燥運転モード）等がある。これらの各運転モードは、次の様になっている。
【００３９】
換気モード（換気運転モード）には急速換気モード、標準換気モード、２４時間換気モードの３種類があり、これらのモード毎に換気ファンの回転数等を変えることにより風量が変わるようになっている。これらのモードは、「換気」スイッチ３４を押す毎に切り替わるようになっており、浴室内等の換気がモード毎に適切に行えるようになっている。
【００４０】
また、予備暖房モードは、「予備暖房」スイッチ３０が押されるとＰＴＣヒータ等の加熱手段により加熱された温風が空調装置２５内部にある循環ファン（図示せず）を作動させ、浴室内に温風を吹き出し循環するようになり、入浴前に寒さを感じさせないように浴室内を暖める効果が得られる。
【００４１】
更に、入浴暖房モードは、「入浴暖房」スイッチ３１を押すことにより、カーボンヒータ等の輻射熱源から熱を入浴者側に輻射することにより暖かく入浴することができる。
【００４２】
また、「涼風」スイッチ３２を押すことにより、涼風モードとなり、ヒータ等の加熱手段を作動せずに循環ファンを作動させることにより、夏場等で涼しく入浴できる。
【００４３】
更に、「乾燥」ボタン３３が選択されると乾燥モードとなり、図示しない循環ファンと換気ファンが作動させられる。これにより、浴室内の湿気を排出すると共に、加熱手段で加熱した温風を浴室内に循環させることで、衣類等の乾燥を行うことができる。
【００４４】
尚、換気ファンと循環ファンを用いた空調装置２５で説明したが、単一のファンにより浴室内の循環風路と排気風路をダンパーにより切り換える（開度を変える）ようにする換気装置等の種々の空調装置に適応が可能である。また、本空調装置２５は、電気式に限らず、温水式等の浴室空調装置等も含まれる。
【００４５】
ここで、ファンは空調装置２５のファンであり、ＰＴＣはＰＴＣヒータ（Ｐｏｓｉｔｉｖｅ　Ｔｅｍｐｅｒａｔｕｒｅ　Ｃｏｅｆｆｉｃｉｅｎｔ　ヒータ）すなわち自己温度制御ヒータであり、カーボンはカーボンランプである。
（２）空調装置２５の運転停止
（ｉ）「停止」スイッチ（停止ボタン）３６による運転停止
演算制御回路４０は、「停止」スイッチ（停止ボタン）３６を押すと、空調装置２５の運転（動作制御）を停止させ、時間液晶表示部２８ｄの右側に「現在時刻」を表示させ、「現在時刻」の左側の「ＡＭ」，「ＰＭ」及び「時」：「分」を用いて現在時刻を表示させる。
【００４６】
また、予約時刻がある場合には、時間液晶表示部２８ｄの右側に「予約時刻」を表示させ、「予約時刻」の左側の「ＡＭ」，「ＰＭ」及び「時」：「分」を用いて予約時刻を表示させる。
（ｉｉ）運転時における残時間が「０」になったときの運転停止
また、演算制御回路４０は、上述したスイッチ３０〜３４の操作による空調装置２５の運転時に、残時間が「０：００」になると、空調装置２５の運転を停止させる。
（ｉｉｉ）スイッチ３０〜３４の操作による空調装置２５の予約時刻による運転停止
さらに、演算制御回路４０は、スイッチ３０〜３４の操作により空調装置２５が運転させられているとき、スイッチ３０〜３４の操作による空調装置２５の運転を一旦停止させる。尚、スイッチ３０〜３４の操作により空調装置２５が運転させられているとき、この運転モードと予約による運転モードが同一の運転モードのときには、時演算制御回路４０は空調装置２５の運転の一旦停止は行わずその運転モードでの運転を継続させる。
（３）運転モードの切り替え
演算制御回路４０は、空調装置２５を「予備暖房」，「入浴暖房」，「涼風」，「乾燥」，「換気」の運転モードのいずれかで運転制御しているときに、「予備暖房」スイッチ３０，「入浴暖房」スイッチ３１，「涼風」スイッチ３２，「乾燥」スイッチ３３，「換気」スイッチ３４等動作スイッチ（動作ボタン）のいずれかが押されると、現在の運転モードでの空調装置２５の運転を一旦停止させる。
【００４７】
そして、演算制御回路４０は、押されたスイッチに該当する運転モードの動作制御を開始する。即ち、演算制御回路４０は、「予備暖房」スイッチ３０が押されると、「予備暖房」の運転モードで空調装置２５の動作制御を開始し、「入浴暖房」スイッチ３１が押されると、「入浴暖房」の運転モードで空調装置２５の動作制御を開始する。また、演算制御回路４０は、「乾燥」スイッチ３３が押されると、「乾燥」の運転モードで空調装置２５の動作制御を開始し、「換気」スイッチ３４が押されると、「換気」の運転モードで空調装置の動作制御を開始する。
【００４８】
この際、演算制御回路４０は、時間表示部の右側に「残時間」の表示を行うと共に、「時」：「分」の表示部に残時間を表示させる。この残時間は、押されたスイッチに対応する運転モードの残時間となる。尚、スイッチ３０〜３４のいずれかが押される前の運転モードと押された後の運転モードが同じ場合には、残時間タイマが再設定され、同じ運転モードでの空調装置２５の運転が行われる。
（４）現在時刻の表示
（ｉ）空調装置２５の運転の待機時
演算制御回路４０は、待機時に時間液晶表示部２８ｄの右側に「現在時刻」を表示させると共に、「現在時刻」の左側の「ＡＭ」，「ＰＭ」及び「時」：「分」を用いて現在時刻を表示させる。
（ｉｉ）空調装置２５の運転中又は予約モードのとき
この空調装置２５の運転中又は予約モードのときに、時計／時刻合わせ用の［時計」スイッチ３７（ボタン）を押すと、演算制御回路４０は待機時と同様な現在時刻の表示を行う。この表示時間は例えば１０秒程度とし、この時間が経過すると、演算制御回路４０は空調装置２５の運転中又は予約モードにおける残時間又は予約時刻の表示に戻すようにする。
（５）現在時刻の設定
（ｉ）現在時刻設定モード
時計／時刻合わせ用の［時計」スイッチ３７（ボタン）を例えば３秒間押し続けると、演算制御回路４０は現在時刻設定モードになる。このモードで演算制御回路４０は、時間液晶表示部２８ｄの「現在時刻」の表示を点滅させ、以下の時刻合わせ等を可能にする。
（ｉｉ）設定時間の増減
演算制御回路４０は、アップボタン３８を押す毎に時間液晶表示部２８ｄに表示している時間の分を１分単位で増加させ、ダウンボタン３９を押す毎に時間液晶表示部２８ｄに表示している時間の分を１分単位で減少させる様になっている。
【００４９】
また、演算制御回路４０は、アップボタン３８を押す続けると、時間液晶表示部２８ｄに表示している時間の分を連続的に分単位で増加させ、ダウンボタン３９を押し続けると、時間液晶表示部２８ｄに表示している時間の分を連続的に分単位で減少させる様になっている。
【００５０】
更に、演算制御回路４０は、アップボタン３８を押し続けている時間が一定時間経過すると、時間液晶表示部２８ｄに表示している時間の分を連続的に分単位で高速で増加させ、ダウンボタン３９を押し続けている時間が一定時間経過すると、時間液晶表示部２８ｄに表示している時間の分を連続的に分単位で高速で減少させる様になっている。
【００５１】
尚、この様な分単位の増減調整で、現在時刻の「時」：「分」の時刻合わせ（現在時刻データの増減調整）がおこなわれる。
（ｉｉｉ）設定時間の確定
また、上述の様にして時刻合わせがおこなわれた後、「時計」スイッチ３７を押すと、演算制御回路４０は時間液晶表示部２８ｄに表示された「現在時刻」の表示の点滅を停止させる。これにより、演算制御回路４０は、時刻合わせした時間を現在時刻データとして確定して、先に設定されていた現在時刻を時刻合わせした現在時刻データに更新し、時刻合わせされた時間の００秒からのカウントアップを開始する。
【００５２】
また、時刻合わせにより現在時刻データの増減をしている途中で、アップボタン３８及びダウンボタン３９の操作をしない状態、及び、現在時刻データを確定しないまま所定時間以上放置した状態が継続（「時計」スイッチ３７を所定時間押さない状態が継続）した場合、演算制御回路４０は現在時刻設定モードから抜けて、現在時刻データの更新はおこなわれない。
（ｉｖ）現在時刻設定モードの解除
また、現在時刻設定モードにおいて「停止」スイッチ３６が押されると、演算制御回路４０は現在時刻設定モードから抜け出す。この際、演算制御回路４０は、現在時刻データの更新はおこなわない。
（６）残時間タイマ４２の設定
この残時間タイマ４２は、上述した各運転モードにおける空調装置２５の動作時に、動作時間の「残時間」を演算して表示させるためのもので、演算制御回路４０により制御される様になっている。この場合の残時間は、設定残時間Ｉとなる。
（ｉ）各運転モードの残時間タイマ４２の初期値
空調装置２５の「予備暖房」，「入浴暖房」，「涼風」，「乾燥」，「換気」の運転モードの残時間タイマ４２の「残時間」の初期値は、運転モード毎に設定されている。。
（ｉｉ）タイマ長の増減設定
（ｉ）の残時間タイマ４２の初期値は、アップスイッチ３８を押す毎に１０分ごとに増加され、ダウンスイッチ３９を押す毎に１０分毎に減少させられる。この（ｉ）の残時間タイマ４２の初期値の増減変更は各運転モード毎におこなうことができる。そして、この増減変更された残時間タイマのデータは、各運転モード毎にメモリ４１に記憶され、次に設定の変更まで保持される。
【００５３】
また、リモコン２６の演算制御回路４０の電源である電池（図示せず）を交換すると、各運転モード毎に増減変更されてメモリ４１に記憶された残時間タイマのデータは初期値に戻される。
（ｉｉｉ）設定時間の変更操作時における時間の状態
（ｉ）の残時間タイマ４２の初期値は、上述したようにアップスイッチ３８を押す毎に１０分ごとに増加され、ダウンスイッチ３９を押す毎に１０分毎に減少させられる。そして、残時間タイマ４２の初期値は、アップスイッチ３８を押し続けると一定間隔で連続して１０分ごとに増加される一方、ダウンスイッチ３９を押し続けると一定間隔で連続して１０分ごとに減少させられる。尚、残時間タイマ４２の初期値の増加時において１２時００分の次は０時１０分となり、残時間タイマ４２の初期値の減少時において０時１０分の次は１２時００分となる。
（ｉｖ）残時間タイマ４２の動作時における残時間の変更
この残時間タイマ４２は、スイッチ３０〜３４の操作により空調装置２５が運転させらると、演算制御回路４０により動作を開始させられる。そして、残時間タイマ４２に設定された残時間は、残時間タイマ４２の動作時に、アップスイッチ３８を押す毎に増加され、ダウンスイッチ３９を押す毎に減少させられる。
（ｖ）残時間タイマ４２のカウント
残時間タイマ４２のカウントは１分毎におこなわれる。
（７）予約タイマの設定
（ｉ）予約時刻モード（予約モード）
「予約時刻」スイッチ３５を押すと、演算制御回路４０は予約時刻モード（予約モード）になる。この予約時刻モードで演算制御回路４０は、予約した運転モードを予約表示部の「予約あり」の下方に表示させると共に、「予約時刻」及び予約した運転モードにおける予約時刻を時間液晶表示部２８ｄに表示させる。また、この際、演算制御回路４０は、予約時刻データを空調装置２５に送信して、空調装置２５の運転を停止させる。
（ｉｉ）予約時刻の設定
また、タイマ設定ボタンであるアップスイッチ３８及びダウンスイッチ３９を押すことにより、予約時刻を設定できる。このスイッチ３８，３９を用いて設定される予約時刻データは、メモリ４１に記憶されて、次の設定変更まで保持される。この様な予約時刻の設定に際して、設定変更される予約時刻データは空調装置２５に逐次送信される。また、演算制御回路４０の為の電池交換時には、予約時刻が初期値として６：００に設定される。
（ｉｉｉ）予約時刻の変更表示
予約時刻は、アップスイッチ３８及びダウンスイッチ３９により任意に変更できる。設定時刻は１２時間制とし、深夜１２時はＡＭ０：００と表示され、正午１２時はＰＭ０：００と表示される。
（ｉｖ）予約時間の変更操作
予約時刻は、アップスイッチ３８を押す毎に１０分ごとに増加され、ダウンスイッチ３９を押す毎に１０分毎に減少させられる。この予約時刻は、アップスイッチ３８を押し続けると一定間隔で連続して１０分ごとに増加される一方、ダウンスイッチ３９を押し続けると一定間隔で連続して１０分ごとに減少させられる。
（ｖ）予約による空調装置２５の運転
予約時刻モードでは、メモリ４１に記憶された時間が入りタイマ４３に設定される。そして、予約時刻モードにおいて、入りタイマ４３のカウントにより、入りタイマ４３が予約時刻に達すると、空調装置２５が予約した運転モード（動作モード）で動作を開始する。そして、この予約した運転モードで設定されている残時間が時間液晶表示部２８ｄに表示され、この残時間のカウントを残時間タイマ４２が開始する。
（ｖｉ）予約時刻モードの解除
また、予約時刻モード中に「停止」スイッチ３６を押すと、演算制御回路４０は予約時刻モードを解除して現在時刻の表示を行う。更に、演算制御回路４０は、予約時刻モードで且つ動作モード（運転モード）中に「停止」スイッチ３６が押されると、動作モード（運転モード）のみを停止させる。
（ｖｉｉ）その他
演算制御回路４０は、入浴暖房動作時に「予約時刻」スイッチ３５が押されても、入浴暖房動作の運転を停止させず、「予約時刻」スイッチ３５の操作は無視する様になっている。
【００５４】
また、予約における運転モードの残時間の設定も、上述したのと同様にして行うことができる。この場合の残時間は、設定残時間ＩＩとなる。
【００５５】
尚、予約モードで且つ動作モード中に予約ボタン即ち「予約時刻」スイッチ３５を押すと、予約時刻確認のため所定時間（例えば、１０秒程度）だけ予約時刻を液晶表示器２８の時刻表示部すなわち時間液晶表示部２８ｄに表示するようにしても良い。
［作用］
以下、この発明のリモコン２６による空調装置２５の制御を図４，図５のフローチャート及び図６，図７のタイムチャートに基づいて説明する。
（１）切りタイマ
待機状態において、「予備暖房」スイッチ３０，「入浴暖房」スイッチ３１，「涼風」スイッチ３２，「乾燥」スイッチ３３，「換気」スイッチ３４等動作スイッチ（動作ボタン）のいずれかが時刻ｔ１で押されると、押されたスイッチからのＯＮ信号が演算制御回路４０に入力され、演算制御回路４０は押されたスイッチに該当する運転モードで空調装置２５の運転動作（動作制御）を開始する。そして、演算制御回路４０は、図４のステップＳ１０〜１３の「切りタイマ」のモードの制御を実行する。
【００５６】
この様な運転動作に伴い、演算制御回路４０は、時間液晶表示部２８ｄに上述した設定残時間Ｉに基づいて「残時間」の表示と、その残時間を「時」：「分」で表示する。例えば、残時間が１時間であれば、「１」：「００」と表示する。また、運転モードが入浴暖房で残時間が５９分であれば、図８に示したように、第１の動作表示部（運転表示部）に「暖房」と「入浴」を表示させると共に、時間表示部に「残時間」を表示させ、「残時間」の表示の左側に実際の残時間を設定算時間Ｉとして「０：５９」と表示させる。尚、運転モードとしては、予備暖房モード、入浴暖房モード、涼風モード、乾燥モード、換気モード等がある。
【００５７】
また、予約時刻モードにおいて、予約された運転モードの入りタイマ４３が時刻ｔ３で入時間になると、予約設定された運転モード（動作モード）で空調装置２５の運転動作が開始され、演算制御回路４０はステップＳ１０〜１３の「切りタイマ」のモードの制御を実行する。
【００５８】
この様な運転動作に伴い、演算制御回路４０は、時間液晶表示部２８ｄに上述した予約時刻モードでの設定残時間ＩＩに基づいて「残時間」の表示と、その残時間を「時」：「分」で表示する。例えば、残時間が１時間であれば、「１」：「００」と表示する。また、運転モードが予備暖房で残時間が２６分であれば、図１０に示したように、第１の動作表示部（運転表示部）に「暖房」と「予備」を表示させると共に、時間表示部に「残時間」を表示させ、「残時間」の表示の左側に実際の残時間を設定算時間Ｉとして「０：２６」と表示させる。尚、運転モードとしては、予備暖房モード、入浴暖房モード、涼風モード、乾燥モード、換気モード等がある。
ステップＳ１０
このステップＳ１０では、残時間タイマ４２のカウントにより設定残時間Ｉ又は設定残時間ＩＩが「０」になって、空調装置２５の運転動作が時間ｔ２又は時間ｔ４で切り時間になったか否かが判断される。そして、切り時間になっていればステップＳ１１に移行し、切り時間になっていなければステップＳ１２に移行する。
ステップＳ１１
ステップＳ１１では、予約時刻モードにおける入りタイマ４３が動作中であるか否かが判断される。これは、ステップＳ１０における切り時間が、予約時刻モードでのスイッチ３０〜３４の操作による設定残時間Ｉが時間ｔ２で終了したのか、予約時刻モードでの運転の設定残時間ＩＩが時間ｔ４で終了したのかを判断するためである。そして、このステップＳ１１の判断において、入りタイマ４３が動作中であれば、ステップＳ１４に移行する。
【００５９】
また、ステップＳ１１において、設定残時間ＩＩが時間ｔ４で終了していて入りタイマ４３が動作中でなければ、ステップＳ１５に移行する。
ステップＳ１２
また、ステップＳ１２では、「停止」スイッチ（停止キー）３６が押されたか否かが判断され、押されていればステップＳ１１に移行し、押されていなければステップＳ１３に移行する。
ステップＳ１３
このステップＳ１３では、予約時刻モードにおいて、スイッチ３０〜３４の操作により空調装置２５が動作しているときに、予約した運転モードでの空調装置２５の運転制御動作の開始時間（入り時間）になったか否かが判断される。
【００６０】
すなわち、予約時刻モードにおいて、ステップＳ２２で動作スイッチ（動作キー）であるスイッチ３０〜３４の操作により、空調装置２５が設定残時間Ｉにより動作制御されている場合であって、この設定算時間Ｉが図７のｔ３〜ｔ３′で予約時刻モードにおける設定残時間ＩＩとオーバーラップしている場合、予約時刻モード（予約モード）における入りタイマ４３が時間ｔ３で入り時間になったか否かが判断される。
【００６１】
そして、入り時間になっていない場合にはステップＳ１０に戻ってループし、入り時間になっている場合にはステップＳ１６に移行する。
ステップＳ１４
このステップＳ１４では、入りタイマ４３による動作を継続して、図５の入りタイマ４３の動作による予約開始のステップＳ２０に移行する。
ステップＳ１５
このステップ１５では、空調装置２５の運転を停止（動作を停止）し、待機状態とする。
ステップＳ１６
このステップ１６では、スイッチ３０〜３４による空調装置２５の運転モードが予約には空調装置２５の運転モードと同じである場合には、そのまま空調装置２５の運転を継続する。また、スイッチ３０〜３４による空調装置２５の運転モードが予約による空調装置２５の運転モードと同じでない場合には、スイッチ３０〜３４による空調装置２５の運転モードでの運転を時間ｔ３で停止すると共に、予約した運転モードでの空調装置２５の動作制御（運転制御）を時間ｔ３で開始し、ステップＳ１０に戻ってループする。
【００６２】
従って、スイッチ３０〜３４による空調装置２５の設定算時間Ｉと予約による設定残時間ＩＩがオーバーラップしていても、空調装置２５の運転動作の制御がスムーズに行われる。
（２）入りタイマ
また、「予約時刻」スイッチ３５が図６，図７の時間ｔ０で押されて予約時刻モードになることにより、予約が開始され、或いはステップＳ１４において予約時刻モード（予約モード）が継続している場合には、ステップＳ２０〜２５の「入りタイマ」のモードの制御が実行される。尚、この予約時刻モードにおいて、例えば予約運転モードが「暖房」であり、予約時刻が午前５時４０分であれば、図９に示したように、予約液晶表示部２８ｃに「予約あり」の表示をさせ、「予約あり」の下に運転モードである「暖房」を表示させると共に、時間液晶表示部２８ｄに「ＡＭ　５：４０」と表示させる。
【００６３】
ステップＳ２０
このステップＳ２０では、入りタイマ４３が図６，図７の時間ｔ３で入り時間になったか否かが判断される。そして、入りタイマ４３が入り時間になったと判断された場合にはステップＳ２３に移行し、入りタイマ４３が入り時間になっていない場合にはステップＳ２１に移行する。
ステップＳ２１
このステップＳ２１では「停止」スイッチ（停止キー）３６が押されたか否かが判断される。この判断において、「停止」スイッチ（停止キー）３６が時間ｔ２で押されていればステップＳ２４に移行する。一方、「停止」スイッチ（停止キー）３６が押されていなければステップＳ２２に移行する。
ステップＳ２２
このステップＳ２２では、動作キー（動作ボタン）であるスイッチ３０〜３４のいずれかが時間ｔ１で押されたか否かが判断される。即ち、「予備暖房」スイッチ３０，「入浴暖房」スイッチ３１，「涼風」スイッチ３２，「乾燥」スイッチ３３，「換気」スイッチ３４等動作スイッチ（動作ボタン）のいずれかが時間ｔ１で押されたか否かが判断される。
【００６４】
この判断において、スイッチ３０〜３４のいずれかが時間ｔ１で押されていればステップＳ２５に移行し、スイッチ３０〜３４のいずれも押されていなければステップＳ２０に戻ってループする。
ステップＳ２３
このステップＳ２３では、予約した運転モードによる空調装置２５の運転動作（運転制御）を開始し、ステップＳ１０〜１６の「切りタイマ」のモードの制御動作に移行する。
ステップＳ２４
このステップＳ２４では、予約時刻モード（予約モード）の解除を行って、待機状態となる。
ステップＳ２５
このステップＳ２５では、スイッチ３０〜３４のうちステップＳ２２で押されたものに該当する運転モードで空調装置２５の運転動作（動作制御）を開始し、図４のステップＳ１０〜１３の「切りタイマ」のモードの制御を実行する。
（変形例）
また、リモコン２６の運転モードや時間設定の為のスイッチは図１１に示したように設けても良い。尚、上述した構成と同一の部分には上述した符号と同じ符号を付して説明する。
【００６５】
図１１において、リモコン本体２７の操作パネル部２９には、「暖房」スイッチ３０ａ，「涼風」スイッチ３２，「乾燥」スイッチ３３，「換気」スイッチ３４が運転モード（動作モード）ボタンとして設けられている。また、操作パネル部２９には、「タイマ切替」スイッチ５０，入りタイマ表示用のＬＥＤ５１，切りタイマ表示用のＬＥＤ５２，「リセット」スイッチ５３，「停止」スイッチ５４，「選択」スイッチ５５，「設定」スイッチ５６，時間設定用の「時」スイッチ５７，分設定用の「分」スイッチ５８が設けられている。
【００６６】
そして、「暖房」スイッチ３０ａを押す毎にその右側の「予備」、「入浴」、「温風」、「遠赤」等の表示を切り替え表示することができる。また、「換気」スイッチ３４を押す毎にその右側の「急速」、「標準」、「２４時間」等の表示を切り替えることができる。
【００６７】
また、「タイマ切替」スイッチ５０を押す毎にＬＥＤ５１，５２が切り替えられ、入りタイマと切りタイマのモードが切り替えられる様になっている。さらに、時間の設定時には、「時」スイッチ５７を押す毎に１時間づつ時間が加算され、１２時を越えると１時になると共に「ＡＭ」、「ＰＭ］の表示が切り替わる。また、スイッチ５８を押す毎に１０分単位で分が加算され、６０分になると００分になる。しかも、１２時においてスイッチ５８が押されて、「分」が００分から１０分になると、「時」の表示が「０：」になる。
【００６８】
尚、この様な構成においても、図５，図６に示したフローチャートに従って上述した実施例と同様に空調装置２５の運転制御（動作制御）が演算制御回路（図示せず）により行われる。
【００６９】
以上説明した様に、この発明の実施の形態のリモコン２６には、機器操作用のリモコン本体２７に機器（機器である空調装置２５）を動作させる動作スイッチ（スイッチ３０〜３４）及び機器の動作予約をさせる予約スイッチ（「予約時刻」スイッチ３５）が設けられている。また、動作スイッチ（スイッチ３０〜３４）による前記機器の動作状態、前記予約スイッチによる予約動作モードを表示させる表示部（液晶表示器２８）が前記リモコン本体２７に設けられている。しかも、前記動作状態及び前記予約動作モードを前記表示部（液晶表示器２８）に同時に表示させる制御手段（演算制御回路４０）が設けられている。
【００７０】
この実施の形態の構成によれば、運転モード（動作モード）及び予約モードの設定状態を同時に確認できる。
【００７１】
また、この発明の実施の形態によれば、前記制御手段（演算制御回路４０）は、前記予約スイッチ（「予約時刻」スイッチ３５）による予約モードの状態において前記動作スイッチ（スイッチ３０〜３４）が操作されたときに、前記動作スイッチが操作されてから前記予約動作モードでの前記機器（空調装置２５）の動作開始時間までの間の時間内で前記動作スイッチによる前記機器の動作制御を行った後、前記予約動作モードでの前記機器の動作開始時間になったときに、前記予約動作モードでの前記機器の動作制御を開始するように設定されている。
【００７２】
この発明の実施の形態によれば、予約モードのときに予約状態を停止させずに、予約モード以外の運転制御を実行できる。
【００７３】
【発明の効果】
以上説明したように、請求項１の発明の機器操作用の表示機能付リモコンは、動作状態及び前記予約動作モードを表示部に同時に表示可能に設けているので、運転モード（動作モード）及び予約モードの設定状態を同時に確認できる。
【００７４】
また、請求項２の発明の機器操作用の表示機能付リモコンの制御手段は、予約スイッチによる予約モードの状態において動作スイッチが操作されたときに、前記動作スイッチが操作されてから前記予約動作モードでの前記機器の動作開始時間までの間の時間内で前記動作スイッチによる前記機器の動作制御を行った後、前記予約動作モードでの前記機器の動作開始時間になったときに、前記予約動作モードでの前記機器の動作制御を開始するように設定されている構成としたので、予約モードのときに予約状態を停止させずに、予約モード以外の運転制御を実行できる。
【図面の簡単な説明】
【図１】この発明に係るリモコンの設置例を示す概略説明図である。
【図２】図１のリモコンの正面図である。
【図３】図２のリモコンの制御回路図である。
【図４】図３の制御回路による切りタイマモードのフローチャートである。
【図５】図２の制御回路による入りタイマモードのフローチャートである。
【図６】入りタイマモード（予約モード）の一例を示すタイムチャートである。
【図７】入りタイマモード（予約モード）の他の例を示すタイムチャートである。
【図８】空調装置の動作時におけるリモコンの表示例を示す部分説明図である。
【図９】空調装置の運転予約モードにおけるリモコンの表示例を示す部分説明図である。
【図１０】空調装置の運転予約モードにおいて空調装置を運転操作用のスイッチで動作させたときのリモコンの表示例を示す部分説明図である。
【図１１】この発明の変形例を示すリモコンの正面図である。
【図１２】従来のリモコンの一例を示す正面図である。
【図１３】図１２のリモコンの制御回路図である。
【図１４】図１３の制御回路による入りタイマモードのフローチャートである。
【図１５】図１３の制御回路による切りタイマモードのフローチャートである。
【符号の説明】
２５・・・空調装置
２６・・・リモコン
２７・・・リモコン本体
２８・・・液晶表示器（表示部、表示手段）
３０・・・「予備暖房」スイッチ（動作スイッチ）
３１・・・「入浴暖房」スイッチ（動作スイッチ）
３２・・・「涼風」スイッチ（動作スイッチ）
３３・・・「乾燥」スイッチ（動作スイッチ）
３４・・・「換気」スイッチ（動作スイッチ）
４０・・・演算制御回路（制御手段）
【図１】
2004028399.tif 000003
【図２】
2004028399.tif 000004
【図３】
2004028399.tif 000005
【図４】
2004028399.tif 000006
【図５】
2004028399.tif 000007
【図６】
2004028399.tif 000008
【図７】
2004028399.tif 000009
【図８】
2004028399.tif 000010
【図９】
2004028399.tif 000011
【図１０】
2004028399.tif 000012
【図１１】
2004028399.tif 000013
【図１２】
2004028399.tif 000014
【図１３】
2004028399.tif 000015
【図１４】
2004028399.tif 000016
【図１５】
2004028399.tif 000017